(57)【要約】      （修正有）【課題】発電所の中の、または発電所に関連する物理的なプラント資産の管理に関し、より詳細には、それらの資産を管理し構成するためのシステムおよび方法に関する。【解決手段】発電所資産の構成および管理を生成し保持するためのシステム１００および方法を提供する。実現可能なプラント資産１０２のリストがプラント情報モデルから受信される。タービン、ポンプ、制御インタフェース、などの、特定の発電所の構成を記述する１つまたは複数のハードウェア資産が選択される。選択された資産の少なくとも一部の間の階層関係が規定される。選択および規定された関係に少なくとも一部は基づいて、資産構成データが生成される。【選択図】図１
2013229025.tif 000002
【特許請求の範囲】
【請求項１】
コンピュータ実行可能命令を格納するための少なくとも１つのメモリと、
前記少なくとも１つのメモリにアクセスし、
１つまたは複数のプラント資産を含むプラント情報モデルにアクセスし、
前記プラント情報モデルから１つまたは複数のプラント資産の選択を受信して発電所を記述し、
前記１つまたは複数のプラント資産の少なくとも一部をお互いに関係付け、
前記関係付けられた１つまたは複数のプラント資産間の１つまたは複数のあらかじめ規定された関係を実現し、
複数の前記選択されたプラント資産および前記実現された１つまたは複数のあらかじめ規定された関係に少なくとも一部は基づいて、資産構成データを生成する
ように構成された前記コンピュータ実行可能命令を、実行するように構成された少なくとも１つのプロセッサと
を含む、システム。
【請求項２】
前記プラント資産のうちの１つまたは複数と通信するように構成された１つまたは複数のプラント資産インタフェースと、
前記資産構成データに少なくとも一部は基づいて、前記１つまたは複数のプラント資産インタフェースを介して前記１つまたは複数のプラント資産の少なくとも一部からデータを検索するように、さらに構成された前記命令と
をさらに含む、請求項１記載のシステム。
【請求項３】
前記プラント資産のうちの１つまたは複数と通信するように構成された１つまたは複数のプラント資産インタフェースと、
前記資産構成データに少なくとも一部は基づいて、前記１つまたは複数のプラント資産インタフェースを介して前記１つまたは複数のプラント資産の少なくとも一部を構成するように、さらに構成された前記命令と
をさらに含む、請求項１記載のシステム。
【請求項４】
前記命令が、プラント資産の入力を受信し、前記プラント資産をリストに組み込むようにさらに構成された、請求項１記載のシステム。
【請求項５】
前記命令が、前記資産構成データを前記少なくとも１つのメモリに格納するようにさらに構成された、請求項１記載のシステム。
【請求項６】
前記１つまたは複数のプラント資産が、電力、熱出力、または両方を供給するように構成された発電所の操業で使用されるハードウェアを含む、請求項１記載のシステム。
【請求項７】
前記関係付けが、
第１のプラント資産のユーザ選択を受信し、
第２のプラント資産のユーザ選択を受信し、
前記第１のプラント資産と前記第２のプラント資産の間の関連を指定するユーザ入力を受信する
ように構成された命令を含む、請求項１記載のシステム。
【請求項８】
前記関係付けが、前記選択された１つまたは複数の資産を、あらかじめ規定された階層内にお互いに関連して配置することを含む、請求項１記載のシステム。
【請求項９】
発電所の構成を記述する１つまたは複数の資産の選択を受信するステップと、
前記１つまたは複数の選択された資産の少なくとも一部の間の関係を規定するステップと、
前記選択および前記規定された関係に少なくとも一部は基づいて資産構成データを生成するステップと
を含む、方法。
【請求項１０】
前記１つまたは複数の資産に関連付けられた１つまたは複数の動作属性を検証するステップをさらに含む、請求項９記載の方法。
【請求項１１】
前記関係を規定するステップが、提案された関係をあらかじめ規定された関係と比較するステップをさらに含む、請求項９記載の方法。
【請求項１２】
前記選択を受信するステップが、
１つまたは複数のコンピュータメモリに格納されたプラント情報モデルからの１つまたは複数のプラント資産のリストにアクセスするステップと、
そのリストの少なくとも一部をユーザインタフェースで提示するステップと
をさらに含む、請求項９記載の方法。
【請求項１３】
前記資産が、前記発電所の操業で使用されるハードウェアを含む、請求項９記載の方法。
【請求項１４】
少なくとも１つのプロセッサによって実行されると、
産業用設備を記述する１つまたは複数の構成部品の選択を受信すること、
前記１つまたは複数の選択された構成部品の少なくとも一部の間の関係を規定すること、ならびに
前記選択および前記規定された関係に少なくとも一部は基づいて資産構成データを生成すること
を含む動作を実行するように前記少なくとも１つのプロセッサを構成する、コンピュータ実行可能命令を格納する、１つまたは複数のコンピュータ可読媒体。
【請求項１５】
前記動作が、
以前に格納された構成部品のリストにアクセスすること、および
前記選択を受信するステップ用のユーザインタフェースの中にそのリストの少なくとも一部を提供すること
をさらに含む、請求項１４記載のコンピュータ可読媒体。
【請求項１６】
前記動作が、複数の構成部品間の提案された関係を前記複数の構成部品間のあらかじめ規定された関係と比較することにより、前記関係を規定するステップ内の完全性を実現することをさらに含む、請求項１４記載のコンピュータ可読媒体。
【請求項１７】
前記産業用設備が、発電機に機械的に連結されたガスタービン、発電機に機械的に連結された蒸気タービン、または熱回収蒸気タービンなどの構成部品のうちの１つまたは複数を含む、請求項１４記載のコンピュータ可読媒体。
【請求項１８】
前記動作が、前記１つまたは複数のコンピュータ可読媒体上に存在するデータストアに前記資産構成データを格納することをさらに含む、請求項１４記載のコンピュータ可読媒体。
【請求項１９】
前記動作が、前記資産構成データの１つまたは複数の部分のユーザの修正を受信することをさらに含む、請求項１４記載のコンピュータ可読媒体。
【請求項２０】
前記動作が、前記資産構成データに組み込むために前記１つまたは複数の構成部品に関連付けられた１つまたは複数の属性の値を規定することをさらに含む、請求項１４記載のコンピュータ可読媒体。
【請求項２１】
前記動作が、
装置との接続を確立すること、
前記接続を介して前記資産構成データの少なくとも一部を前記装置に転送すること、および
前記装置との前記接続の確立を解除すること
をさらに含む、請求項１４記載のコンピュータ可読媒体。
【請求項２２】
前記動作が、前記資産構成データを修正して、修正された資産構成データを生成することをさらに含む、請求項２１記載のコンピュータ可読媒体。
【請求項２３】
前記動作が、
前記装置との前記接続を再確立すること、および
前記修正された資産構成データの少なくとも一部を前記装置に提供すること
をさらに含む、請求項２２記載のコンピュータ可読媒体。
【発明の詳細な説明】
【技術分野】
【０００１】
本発明の実施形態は、一般に、発電所の中の、または発電所に関連する物理的なプラント資産の管理に関し、より詳細には、それらの資産を管理し構成するためのシステムおよび方法に関する。
【背景技術】
【０００２】
発電所は、操業用のさまざまな異なる物理的なプラント資産すなわち構成部品を含む。発電所を管理し操業することはこれらの構成部品の動作を調整することを伴う。
【先行技術文献】
【特許文献】
【０００３】
【特許文献１】米国特許第７，９７４，９６５号明細書
【発明の概要】
【０００４】
発電所（「プラント」）または他の産業用設備は、一緒に動作して操業に備える多種多様の物理的なプラント資産すなわち構成部品を含むことができる。発電所用の資産構成データを生成および／または保持するためのシステムおよび方法が本明細書において記載される。本発明の技術的な効果は、発電所または他の産業用設備の管理および操業に役立つことである。この資産構成データは、プラントまたはその中の資産を監視および／または操作するために使用することができる。
【０００５】
資産構成データは、プラント資産およびそれらのお互いとの関係を記述する。これらの関係は、論理的な関係、物理的な関係、またはそれらの組合せである場合がある。資産構成データは、個別の資産用のセットポイントおよび／または測定値などの動作属性またはパラメータを含むことができる。
【０００６】
資産構成データは、生成されると、プラント資産の監視に役立てるために、または、１つもしくは複数のプラント資産の動作を変更するために、アクセスし使用することができる。一実装形態では、ユーザは、１つまたは複数のプロセッサ上で実行される資産管理モジュールの助けを借りて資産構成データを生成することができる。本発明の他の実装形態、システム、方法、装置、態様、および特徴は、以下の詳細説明、添付図面、および添付の特許請求の範囲から、当業者には明白になる。
【０００７】
詳細説明は添付図面を参照して行われ、添付図面は必ずしも縮尺通り描かれていない。異なる図の中の同じ参照番号の使用は同様または同一の項目を示す。
【図面の簡単な説明】
【０００８】
【図１】本発明の実施形態により発電所の資産構成データを管理するためのシステムの略図である。
【図２】本発明の実施形態による資産構成データ内の資産間の容認された関係のブロック図である。
【図３】本発明の実施形態による資産構成サーバのブロック図である。
【図４】本発明の実施形態により資産構成データを生成するか、または保持するための処理の流れ図である。
【発明を実施するための形態】
【０００９】
ここで本発明の例示的な実施形態が添付図面を参照して以下により詳しく記載され、添付図面では本発明の実施形態の全部ではないが一部が図示される。本発明は多くのさまざまな形態で具現化することができ、本明細書において説明された実施形態に限定されるものと解釈すべきでなく、むしろこれらの実施形態は、適用可能な法的要求事項を本開示が満足するように提供される。上述したように、同様な番号は全体を通して同様な構成要素を参照する。
【００１０】
図１は、本発明の実施形態により発電所または他の産業用設備の資産構成データを管理するためのシステム１００の略図である。発電所は、電力、熱出力、機械力、またはそれらの組合せを発生するように構成することができる。発電所はいくつかの構成部品すなわち資産１０２を含む。これらの資産１０２は、プラントの操業に関与するハードウェアまたは他の装置である場合がある。いくつかの実装形態では、発電所のすべての資産は、プラント情報モデル（「ＰＩＭ」）として知られているソフトウェアモデルを使用して、均等な論理構造によって表現される。ＰＩＭは下記で図３に関してより詳細に説明される。例示目的で、かつ限定しないで、本明細書で図示された資産１０２には、ガスタービン１０２（１）、燃焼器１０２（２）、燃料入力制御器１０２（３）、燃焼センサ１０２（４）、火炎検出器１０２（５）、コンプレッサ１０２（６）、などが含まれ得る。
【００１１】
資産構成サーバ１０４は、ＰＩＭを使用して発電所のカスタマイズされた階層表示を生成するように構成される。この階層表示は、論理的な関係、物理的な関係、またはそれらの組合せに基づくことができる。論理的な関係は、１つの構成部品の別の構成部品に対する動作を規定する。例えば、燃料制御バルブの状態変更は、燃料を消費する燃焼器などの別の下流の構成部品に影響を与える。物理的な関係は２つの構成部品間の連結を示す。例えば、物理的な関係は、ガスタービンを発電機に連結するシャフトによって規定することができる。階層関係により、資産がお互いに関連して分類されることが可能になり、その結果相互に関係する構成部品（またはそれに関連付けられたインジケータ）はグループ化されるか、または一緒に提示されるが、相互に関係しない構成部品（またはそれに関連付けられたインジケータ）はそうならない。
【００１２】
資産構成サーバ１０４は、ユーザが、発電所の構成または表示を記述する１つまたは複数の資産１０２を選択し、それらの選択された資産間の関係を規定し、選択および規定された関係に少なくとも一部は基づいて資産構成データ１０６を生成することが可能になるように構成される。資産構成サーバ１０４は、資産構成データ１０６において階層関係を実現するのを支援する。例えば、ユーザは、燃料を消費する燃焼器の下位になるように燃料入力制御器を追加することができるが、燃焼器の下位になるように発電機を追加することは容認できないはずである。階層関係は下記で図２に関してより詳細に記載される。資産構成サーバ１０４、および資産構成データ１０６を生成および／または保持するその動作は、図３および図４に関して下記に記載される。
【００１３】
管理サーバ１０８は、資産構成データ１０６を存続させるように構成することができる。また、管理サーバ１０８により、資産構成サーバ１０４が、管理サーバ１０８上に存続している既存の資産構成データ１０６に対して変更を行うか、または新しい資産構成データ１０６を作成し、プラント資産をさらに監視／構成するためにそれを管理サーバ１０８に保存することが可能になる。
【００１４】
資産構成サーバ１０４と管理サーバ１０８は、お互いに接続されていても、切断されていても動作するように構成することができる。一実装形態では、接続は資産構成サーバ１０４と管理サーバ１０８の間で確立することができる。資産構成データ１０６の少なくとも一部は、装置間の接続を介して転送することができる。例えば、資産構成データ１０６は、ネットワーク接続を介して資産構成サーバ１０４から管理サーバ１０８に送信することができる。転送が完了すると、接続は確立を解除するかまたは切断することができる。管理サーバ１０８は、そこに存続している資産構成データ１０６を使用して動作することができる。一方で、ユーザは資産構成サーバ１０４にアクセスすることを継続して資産構成データ１０６を修正し、修正された資産構成データ１０６を生成することができる。この修正された資産構成データ１０６は、格納、エクスポート、または管理サーバ１０８に転送することができる。転送の場合、資産構成サーバ１０４と管理サーバ１０８の間の接続は再確立される。修正された資産構成データ１０６の少なくとも一部は、接続を介して管理サーバ１０８に提供することができる。管理サーバ１０８は、修正された資産構成データ１０６をここで存続させることができる。
【００１５】
いくつかの実装形態では、資産構成サーバ１０４と管理サーバ１０８は、単一の物理的な、または仮想のサーバに結合することができる。例えば、単一のサーバはどちらの機能も提供することができる。
【００１６】
図２は、本発明の実施形態による資産構成データ内の資産間の容認された関係のブロック図２００である。本明細書で描写された容認された関係は例示用であり、限定するものではない。容認された、または容認できる関係はあらかじめ規定することができる。プラント情報モデル３２４からユーザによって選択された資産などの２つ以上の資産１０２は、選択された１つまたは複数の資産を、あらかじめ規定された階層にお互いに関連して配置することにより、関係付けることができる。
【００１７】
一実装形態では、人間のエンジニアは、どのようにして資産１０２がお互いに関係するかを記述する一組の関係または規則を規定することができる。別の実装形態では、機械学習システムまたは他の自動装置は、容認できる、または容認できない関係の少なくとも一部を規定することができる。関係は、提案された関係をあらかじめ規定された関係と比較することに少なくとも一部は基づいて、容認できる、または容認できないと判定することができる。あらかじめ規定された関係は、明確に容認された関係、明確に容認できない関係、またはそれらの組合せを含むことができる。
【００１８】
ブロック図２００は、発電所内の資産１０２のガスタービン１０２（１）を描写する。ガスタービン１０２（１）は、いくつかの論理的に独立した下位または子供の資産１０２を有する。これらには、燃焼器１０２（２）、コンプレッサ１０２（６）、第１の発電機１０２（７）、などが含まれる。これらの資産１０２は、それぞれ容認できる関係２０２、２０４、および２０６によって、階層の中でガスタービン１０２（１）に従属する。
【００１９】
燃焼器１０２（２）の下位は、それぞれ関係２０８および２１０によってつながれた燃料入力制御器１０２（３）および燃焼器センサ１０２（４）を含む他の資産である。火炎検出器１０２（５）は、容認できる関係２１２によって示されるように燃焼器センサ１０２（４）の下位になる。これらの関係２０２〜２１２は、ガスタービン１０２（１）に関連するプラント内の資産１０２の間の論理的な相互関係の一部を記述する。階層を保持することにより、ユーザは、特定の資産１０２をより簡単に位置付け、特定の資産１０２に対する変更の結果を確認し、などを行うことができる。
【００２０】
プラント内の資産１０２の別のセットは熱回収蒸気タービン１０２（８）を含むことができる。蒸気タービン１０２（８）の下位は、それぞれ関係２１４および２１６によって記述された復水ポンプ１０２（９）および第２の発電機１０２（１０）である場合がある。復水ポンプ１０２（９）は蒸気タービン１０２（８）と論理的に関係するので、それに従属することを容認されるか、またはその下位になる。対照的に、復水ポンプ１０２（９）と燃焼器センサ１０２（４）の間の関係の試みは、容認できないと見なされるはずである。特定のプラントを記述する資産構成データ１０６を構築する間、ユーザがこれら２つの構成部品を関係付けるように試みた場合、そのような関係は資産構成サーバ１０４によって禁止されるはずである。
【００２１】
図３は、本発明の実施形態による資産構成サーバのブロック図３００である。資産構成サーバ１０４は、１つまたは複数のプロセッサ３０２、１つまたは複数のメモリ３０４、１つまたは複数のディスプレイ３０６、１つまたは複数の入出力（「Ｉ／Ｏ」）インタフェース３０８、および、１つまたは複数のネットワークインタフェース３１０を含むことができる。いくつかの実装形態では、資産インタフェース３１２も提供することができる。
【００２２】
プロセッサ３０２は１つまたは複数のコアを含むことができ、１つまたは複数のメモリ３０４に格納された命令を、少なくとも一部はアクセスし実行するように構成される。１つまたは複数のメモリ３０４は、１つまたは複数のコンピュータ可読記憶媒体（「ＣＲＳＭ」）を含む。１つまたは複数のメモリ３０４には、ランダムアクセスメモリ（「ＲＡＭ」）、フラッシュＲＡＭ、磁気媒体、光媒体、などが含まれ得るが、それらに限定されない。１つまたは複数のメモリ３０４は、電力を供給中は情報が保持される揮発性、または電力を供給しなくても情報が保持される不揮発性である場合がある。
【００２３】
いくつかの実装形態では、資産構成サーバ１０４は、ワークステーションなどのユーザ装置によってアクセスすることができる。１つまたは複数の入出力インタフェース３０８により、シリアルポート、キーボード、外部メモリ、などの装置を資産構成サーバ１０４に結合することが可能になる。
【００２４】
１つまたは複数のネットワークインタフェース３１０は、ピアツーピア方式などで直接的に、ネットワークを介して、または両方で、資産構成サーバ１０４と別の装置の間のデータ転送を提供する。ネットワークインタフェース３１０には、有線ローカルエリアネットワーク（「ＬＡＮ」）、無線ローカルエリアネットワーク（「ＷＬＡＮ」）、無線ワイドエリアネットワーク（「ＷＷＡＮ」）、などが含まれ得るが、それらに限定されない。
【００２５】
また、資産構成サーバ１０４は、１つまたは複数の資産インタフェース３１２を含むか、またはそれらに結合することができる。これらの１つまたは複数の資産インタフェース３１２は、１つまたは複数の資産１０２、または、それらに関連する制御システム、監視システム、などに通信を提供するように構成することができる。一実装形態では、資産インタフェース３１２は、国際電気標準会議（「ＩＥＣ」）の仕様ＩＥＣ６１１５８および６１７８４によって規定されたフィールドバスなどの産業用通信ネットワークに結合するように構成された機器を含むことができる。いくつかの実装形態では、この結合は、１つまたは複数のプラント資産１０２の少なくとも一部からのデータ検索が可能になるように構成することができる。他の実装形態では、結合は、１つまたは複数のプラント資産１０２の少なくとも一部に対する構成変更を提供するように構成することができる。
【００２６】
１つまたは複数のメモリ３０４は、ある特定の動作または機能を実行するプロセッサ３０２によって実行されるためのコードまたはプログラム命令を格納することができる。これらの命令は、Ｉ／Ｏインタフェース３０８などのハードウェア資源を管理し、プロセッサ３０２上で実行されるアプリケーションにさまざまなサービスを提供するように構成されたオペレーティングシステム３１４を含むことができる。
【００２７】
１つまたは複数のメモリ３０４は、ある特定の動作または機能を実行するプロセッサ３０２によって実行されるためのコードまたはプログラム命令を格納することができる。これらの命令は、Ｉ／Ｏインタフェース３０８などのハードウェア資源を管理し、プロセッサ３０２上で実行されるアプリケーションにさまざまなサービスを提供するように構成されたオペレーティングシステム３１４を含むことができる。
【００２８】
資産管理モジュール３１６は、資産構成データ１０６を生成し保持するように構成される。資産管理モジュール３１６は入力を受け付け、図２に関して上述されたような資産１０２の間の関係において表現されたプラント構成についての規則を実現する。一実装形態では、資産管理モジュール３１６は、第１のプラント資産１０２のユーザ選択を受信し、第２のプラント資産１０２のユーザ選択を受信し、第１のプラント資産１０２と第２のプラント資産１０２の間の関連または関係を指定するユーザ入力を受信することができる。
【００２９】
資産管理モジュール３１６は、１つまたは複数のメモリ３０４内に存在するデータストア３１８に結合することができる。データストア３１８は、データベース、リンクリスト、配列、ファイル、などの１つまたは複数のデータ構造を含むことができる。一実装形態では、データストア３１８はリレーショナルデータベースを含むことができる。
【００３０】
資産管理モジュール３１６は、ユーザインタフェースモジュール３２０を含むことができる。ユーザインタフェースモジュール３２０は、ユーザにユーザインタフェースを提供するように構成される。ユーザインタフェースモジュール３２０は、ウェブブラウザ、専用アプリケーション、またはそれらの組合せを介して、ユーザインタフェースを提供するように構成される。ユーザインタフェースモジュール３２０は、ユーザにデータを提示し、ユーザ入力を受信するように構成される。
【００３１】
資産管理モジュール３１６内の関係メンテナンスモジュール３２２は資産１０２の間の関係を保持する。関係メンテナンスモジュール３２２は、容認できる関係、容認できない関係、または両方を保持するように構成される。上述したように、これらの関係は、論理的な関係、物理的な関係、またはそれらの組合せである場合がある。関係はあらかじめ規定するか、または自動的に生成することができる。一実装形態では、関係メンテナンスモジュール３２２は、ユーザインタフェースモジュール３２０を使用して複数の資産１０２を提示し、資産１０２の間の有効な関係を指定するユーザ入力を受信するように構成することができる。
【００３２】
プラント情報モデル（「ＰＩＭ」）３２４は、プラント内に配備することができる資産１０２のリストまたはセットを含む。いくつかの実装形態では、ＰＩＭ３２４は資産管理モジュール３１６の一部である場合がある。プラント情報モデル３２４は資産１０２についての詳細を含むことができる。詳細は、容量、特性、関連する構成部品、などを含むことができる。プラント情報モデル３２４は、関係メンテナンスモジュール３２２によって指定されたような資産１０２の間の関係も含むことができる。
【００３３】
上述したように、資産構成データ１０６は特定のプラントについての情報を含む。資産構成データ１０６は、プラント内の資産１０２の少なくとも一部、およびそれらのお互いとの関係を含むことができる。資産構成データ１０６は、その中の資産１０２に関連付けられた属性またはパラメータも含むことができる。例えば、燃焼器用の温度のセットポイント、または特定のバルブに利用可能な流量範囲。
【００３４】
他のデータ３２６もデータストア３１８に格納することができる。例えば、さまざまな動作領域に関連付けられた動作属性またはパラメータの特定の組合せを格納することができる。
【００３５】
資産管理モジュール３１６の資産インタフェースモジュール３２８は、利用可能な場合資産インタフェース３１２にアクセスするように構成される。資産インタフェースモジュール３２８は、資産１０２に格納された既存の制御属性または状態を検索するために使用することができる。例えば、資産管理モジュール３１６は資産インタフェース３１２に結合された装置を発見し、それらの現在の値を資産構成データ１０６に自動入力することができる。
【００３６】
本明細書に記載されたモジュールは、スタンドアロンアプリケーションとして、別の装置にアクセス可能なサービスとして、またはそれらの組合せとして実行することができる。一実装形態では、データストア３１８は管理サーバ１０８のメモリ内に存在することができる。資産管理モジュール３１６は、資産インタフェースモジュール３２８を資産インタフェース３１２またはネットワークインタフェース３１０と一緒に使用して、管理サーバ１０８内のデータストアに存続する資産構成データ１０６にアクセスすることができる。
【００３７】
図４は、本発明の実施形態により資産構成データを生成するか、または保持するための処理の流れ図４００である。いくつかの実装形態では、この処理は上述したように資産管理モジュール３１６によって実装することができる。
【００３８】
ブロック４０２は、プラント情報モデル３２４からのプラント資産１０２のリストにアクセスする。いくつかの実装形態では、ユーザインタフェースモジュール３２０は、プラント資産１０２の入力を受信し、プラント資産１０２をリストに、アクセス構成データ（「ＡＣＤ」）１０６に、または両方に組み込むように構成することができる。
【００３９】
ブロック４０４は、新しい構成を作成すること、またはＡＣＤ１０６の既存のセットをインポートすることのどちらをユーザが選択するかを判定する。ユーザが既存のＡＣＤ１０６をインポートすることを選択すると、処理はブロック４０６に進む。ブロック４０６はＡＣＤ１０６を検証し、データをデータストア３１８にインポートする。この検証は、容認できない関係を探すこと、知られていない、または指定されていない資産１０２をチェックすること、などを含むことができる。次いで、処理はブロック４０６に進むことができる。
【００４０】
ブロック４０４が新しいＡＣＤ１０６を作成すべきと判定するか、またはブロック４０６のインポートが完了すると、ブロック４０８が動作する。ブロック４０８は、ユーザまたは別のシステムが資産１０２をＡＣＤ１０６に追加することを可能にし、それらの資産間の関係を検証する。
【００４１】
ブロック４１０は検査して、容認された関係が追加された資産４１０全体にわたって保持されるかどうかを判定する。例えば、ユーザによって追加された関係は、プラント情報モデル３２４に格納されているあらかじめ規定された関係に対して比較することができる。一実装形態では、判定は、提案された関係をあらかじめ規定された関係と比較することを含むことができる。
【００４２】
関係が容認できないことをブロック４１０が見つけると、処理はブロック４１２に進む。ブロック４１２は資産１０２のＡＣＤ１０６への追加を禁止し、ブロック４１４に進む。ブロック４１４は、資産の追加を継続するかどうかを判定する。継続しない場合、処理はブロック４１６に進む。ブロック４１６は別のモジュールまたは動作を呼び出すことができる。ブロック４１４が資産１０２の追加を継続することを決定すると、処理はブロック４０８に戻る。
【００４３】
ブロック４１０に戻り、容認できる関係に関連付けられた資産１０２が追加されると、ブロック４１８は容認された資産１０２をＡＣＤ１０６に追加する。ブロック４２０は、ユーザがＡＣＤ１０６内の資産１０２の測定データおよび／または属性を修正するか、または編集することを望むかどうかを判定する。例えば、ユーザは、さまざまなセットポイントをガスタービン１０２（１）の動作に入力することを選択することができる。イエスの場合、処理はブロック４２２に進み、そこでユーザは測定データおよび／または属性の修正／編集に進むことができる。処理は、１つまたは複数の資産に関連付けられたデータおよび／または属性が有効であるかどうかを判定するブロック４２４に進む。有効な属性は、指定された範囲内にあり、あらかじめ決められたデータタイプをもち、指定された動作限界を超えない、などの属性である。無効な場合、処理は、無効なデータフィールドをリセットするブロック４２６に進み、ブロック４２０に戻る。
【００４４】
データおよび／または属性が有効であるとブロック４２４によって判定されると、処理はブロック４２８に進む。ブロック４２８はＡＣＤ１０６に対する変更を更新して、有効なデータおよび／または属性を反映する。処理は、データストア３１８への保存、または別のメモリもしくは装置へのエクスポートに向けてＡＣＤ１０６を準備するブロック４３０に進む。この準備は、ファイル名を指定すること、冗長なデータを削除すること、ファイルを圧縮すること、ファイルフォーマットを設定すること、などを含むことができる。
【００４５】
次いで、処理は、ユーザがＡＣＤ１０６を保存するか、またはエクスポートするかを判定するブロック４３２に続く。例えば、ユーザインタフェースモジュール３２０は、ダイアログボックスまたは他のプロンプトをユーザに提示し、ユーザの入力を受信するために使用することができる。エクスポートが決定されると、処理は４３４に進み、ＡＣＤ１０６をファイルにエクスポートする。次いで、処理は４１６に進む。
【００４６】
ブロック４３２に戻り、保存が選択されると、処理は、ＡＣＤ１０６が以前に存在したかどうかを判定するブロック４３６に進む。この判定はオペレーティングシステム３１４によって容易にすることができる。例えば、現在のファイル名がメモリ３０４内にすでに存在するファイル名と一致すると、ＡＣＤ１０６は存在すると判定することができる。ＡＣＤ１０６が以前に存在しなかった場合、処理は、ＡＣＤ１０６をデータストア３１８に保存するブロック４３８に進む。次いで、処理は４１６に進むことができる。
【００４７】
４３６に戻り、ＡＣＤ１０６が存在すると判定されると、処理はブロック４４０に進む。ブロック４４０は、データストア３１８内の既存のＡＣＤ１０６をＡＣＤ１０６の現在のバージョンで上書きするかどうかを判定する。上書きが選択されるか、または容認されると、処理はブロック４３８に進む。上書きが選択されないか、または容認されないと、処理はブロック４３０に戻ることができる。
【００４８】
ブロック４２０に戻り、ユーザが測定データおよび／または属性を修正／編集していないと、処理はブロック４３０に進む。
【００４９】
例示的なシステムおよび方法が上記に記載された。これらのシステムおよび方法の一部または全部は、図１〜４に示されたようなアーキテクチャによって少なくとも部分的に実装することができるが、その必要はない。方法の中の特定の動作は、記載された順序で実行される必要はなく、状況に応じて、並び替えるか、もしくは修正することができ、および／または、完全に省略できることを理解すべきである。また、任意の方法に関して上記に記載された任意の動作は、１つまたは複数のコンピュータ可読記憶媒体に格納された命令に基づいて、任意の数のプロセッサまたは他のコンピュータ装置によって実装することができる。
【００５０】
記述された説明は、最良の形態を含む本発明を開示するために、また、任意の装置またはシステムを作製および使用すること、ならびに組み込まれた任意の方法を実施することを含めて、任意の当業者が本発明を実践できるように、例を使用している。本発明の特許可能な範囲は、特許請求の範囲の中で規定され、当業者が思いつく他の例を含むことができる。そのような他の例は、それらが特許請求の範囲の文言と相違のない構成要素を有する場合、または、それらが特許請求の範囲の文言と実質的に相違のない均等な構成要素を含む場合、特許請求の範囲内に入ることが意図されている。
【符号の説明】
【００５１】
１００  システム
１０２  資産
１０２（１）  ガスタービン
１０２（２）  燃焼器
１０２（３）  燃料入力制御器
１０２（４）  燃焼センサ
１０２（５）  火炎検出器
１０２（６）  コンプレッサ
１０２（７）  第１の発電機
１０２（８）  熱回収蒸気タービン
１０２（９）  復水ポンプ
１０２（１０）  第２の発電機
１０２（Ａ）  他
１０４  資産構成サーバ
１０６  資産構成データ
１０８  管理サーバ
２００  ブロック図
２０２  関係
２０４  関係
２０６  関係
２０８  関係
２１０  関係
２１２  関係
２１４  関係
２１６  関係
３００  ブロック図
３０２  プロセッサ
３０４  メモリ
３０６  ディスプレイ
３０８  入出力（Ｉ／Ｏ）インタフェース
３１０  ネットワークインタフェース
３１２  資産インタフェース
３１４  オペレーティングシステム
３１６  資産管理モジュール
３１８  データストア
３２０  ユーザインタフェースモジュール
３２２  関係メンテナンスモジュール
３２４  プラント情報モデル（ＰＩＭ）
３２６  他のデータ
３２８  資産インタフェースモジュール
３３０  他のモジュール
４００  流れ図
【図１】
2013229025.tif 000003
【図２】
2013229025.tif 000004
【図３】
2013229025.tif 000005
【図４】
2013229025.tif 000006
【外国語明細書】
2013229025000001.pdf